(57)【特許請求の範囲】
【請求項１】
表示器にメータの表示を行なうメータ表示領域とナビゲーションシステムの表示を行なうナビデータ表示領域とを備える車両用表示装置において、
前記メータ表示領域は、予め定められた警告に対応する警告マークを表示する警告表示領域を含み、
前記表示器に描画を行なう描画手段と、
前記メータ表示領域の表示状態を前記ナビデータ表示領域の表示に反映させるためのメータ情報を作成するとともに、前記メータ表示領域に表示するためのメータ描画データを前記描画手段に送るメータ制御手段と、
前記メータ制御手段から前記メータ情報を取得するメータ情報取得手段と、
取得した前記メータ情報に基づいて、前記ナビデータ表示領域に表示するためのメータ表示用ナビデータを作成し、そのメータ表示用ナビデータを前記描画手段に送るナビ制御手段と、
を備え、
前記メータ情報は前記メータの表示色情報を含み、前記ナビ制御手段は、前記メータ表示用ナビデータに前記警告マークの表示色と同じ色が含まれないように該メータ表示用ナビデータを作成することを特徴とする車両用表示装置。
【請求項２】
表示器に機械式メータを含んでメータの表示を行なうメータ表示領域とナビゲーションシステムの表示を行なうナビデータ表示領域とを備える車両用表示装置において、
前記メータ表示領域は、予め定められた警告に対応する警告マークを表示する警告表示領域を含み、
前記表示器に描画を行なう描画手段と、
前記メータ表示領域の表示状態を前記ナビデータ表示領域の表示に反映させるためのメータ情報を作成するメータ制御手段と、
前記メータ制御手段から前記メータ情報を取得するメータ情報取得手段と、
取得した前記メータ情報に基づいて、前記ナビデータ表示領域に表示するためのメータ表示用ナビデータを作成し、そのメータ表示用ナビデータを前記描画手段に送るナビ制御手段と、
を備え、
前記メータ情報は前記メータの表示色情報を含み、前記ナビ制御手段は、前記メータ表示用ナビデータに前記警告マークの表示色と同じ色が含まれないように該メータ表示用ナビデータを作成することを特徴とする車両用表示装置。
【請求項３】
前記メータ情報には、前記メータの文字意匠情報，表示の明るさ情報，前記ナビデータ表示領域の大きさあるいは前記表示器における前記ナビデータ表示領域の表示位置に関する情報のうちの少なくとも一つが含まれる請求項１または２に記載の車両用表示装置。
【請求項４】
前記ナビ制御手段は、前記文字意匠情報に応じて前記メータ表示用ナビデータを作成する請求項３に記載の車両用表示装置。
【請求項５】
前記ナビ制御手段は、前記表示の明るさ情報に応じて前記メータ表示用ナビデータを作成する請求項３または４に記載の車両用表示装置。
【請求項６】
前記ナビ制御手段は、前記ナビデータ表示領域の大きさあるいは前記表示器における前記ナビデータ表示領域の表示位置に関する情報に応じて前記メータ表示用ナビデータを作成する請求項３ないし５のいずれか１項に記載の車両用表示装置。
【請求項７】
前記ナビ制御手段は、前記ナビデータ表示領域の大きさあるいは前記表示器における前記ナビデータ表示領域の表示位置に関する情報に応じて、前記ナビデータ表示領域に表示される地図の縮尺，文字意匠，文字列数のうちの少なくとも一つを変更する前記メータ表示用ナビデータを作成する請求項６に記載の車両用表示装置。
【請求項８】
表示器にメータの表示を行なうメータ表示領域とナビゲーションシステムの表示を行なうナビデータ表示領域とを備える車両用表示装置において、
前記表示器に描画を行なう描画手段と、
前記メータ表示領域の表示状態を前記ナビデータ表示領域の表示に反映させるためのメータ情報を作成するとともに、前記メータ表示領域に表示するためのメータ描画データを前記描画手段に送るメータ制御手段と、
前記メータ制御手段から前記メータ情報を取得するメータ情報取得手段と、
取得した前記メータ情報に基づいて、前記ナビデータ表示領域に表示するためのメータ表示用ナビデータを作成し、そのメータ表示用ナビデータを前記描画手段に送るナビ制御手段と、
を備え、
前記メータ情報には、前記メータの表示色情報，文字意匠情報，表示の明るさ情報，前記ナビデータ表示領域の大きさあるいは前記表示器における前記ナビデータ表示領域の表示位置に関する情報のうちの少なくとも一つが含まれ、
前記メータ表示用ナビデータにおける前記メータ表示領域との隣接領域を、前記メータの表示内容に応じて加工するナビデータ加工手段をさらに備えることを特徴とする車両用表示装置。
【請求項９】
表示器に機械式メータを含んでメータの表示を行なうメータ表示領域とナビゲーションシステムの表示を行なうナビデータ表示領域とを備える車両用表示装置において、
前記表示器に描画を行なう描画手段と、
前記メータ表示領域の表示状態を前記ナビデータ表示領域の表示に反映させるためのメータ情報を作成するメータ制御手段と、
前記メータ制御手段から前記メータ情報を取得するメータ情報取得手段と、
取得した前記メータ情報に基づいて、前記ナビデータ表示領域に表示するためのメータ表示用ナビデータを作成し、そのメータ表示用ナビデータを前記描画手段に送るナビ制御手段と、
を備え、
前記メータ情報には、前記メータの表示色情報，文字意匠情報，表示の明るさ情報，前記ナビデータ表示領域の大きさあるいは前記表示器における前記ナビデータ表示領域の表示位置に関する情報のうちの少なくとも一つが含まれ、
前記メータ表示用ナビデータにおける前記メータ表示領域との隣接領域を、前記メータ表示領域の表示内容に応じて加工するナビデータ加工手段をさらに備えることを特徴とする車両用表示装置。
【請求項１０】
前記ナビデータ加工手段は、前記メータ表示用ナビデータにおける前記メータ表示領域との隣接領域の表示意匠を、前記メータ表示領域の表示内容に合わせるように変化させる請求項８または請求項９に記載の車両用表示装置。
【発明の詳細な説明】
【技術分野】
【０００１】
本発明は、表示器にメータの表示を行なうメータ表示領域とナビゲーションシステムの表示を行なうナビデータ表示領域とを備える車両用表示装置に関するものである。
【背景技術】
【０００２】
近年、車両の計器パネルの表示装置として、従来の機械式メータの他に液晶等の画像表示装置も用いられている。この画像表示装置には、表示のデザインやレイアウトを自在に設定できるという利点がある。
【０００３】
そこで、従来のメータ表示に加えて、この画像表示装置において車載用ナビゲーション装置の画面表示を行なったり、指針および指針回動領域を有するアナログ式メータ画像を表示し、指針回動領域の外周に沿ってリング画像を表示すると共に、このリング画像を光沢調表示として視覚効果等を向上する車両用表示装置が考案されている（特許文献１参照）。
【０００４】
また、単に車載用ナビゲーション装置の画面表示を行なうだけではなく、停車時に必要な情報をＬＣＤ（Liquid  Crystal  Display）表示装置中に小画面で表示する停車用モードと、走行時に必要な情報をＬＣＤ表示装置中に大画面で表示し、地図、自車位置、経路誘導時には誘導路を含むナビゲーション案内画像をＬＣＤ表示装置中に小画面で表示する走行用モードとを、車両の速度に応じて切り換える経路誘導装置が考案されている（特許文献２参照）。
【０００５】
【特許文献１】特開２００４−１５７４３４号公報
【特許文献２】特開平１１−５１６８６号公報
【発明の開示】
【発明が解決しようとする課題】
【０００６】
従来技術の構成としては、図１１のようにメータ表示を行なうメータ表示領域とナビゲーション表示を行なうナビデータ表示領域を表示器５４に表示する構成と、図１２のようにメータ５０内にナビデータを表示する表示器５４とメータ指針を動かすステッパモータやＬＥＤ等を含むメータ表示部５９とを含む構成の２通りがあり、いずれの構成もナビゲーション表示用の描画データは車載用ナビゲーション装置１００において作成され、描画ＥＣＵ６０あるいはそれに相当する回路によってメータＥＣＵ４０からの描画データと合わせてメータ表示用描画データが作成され、表示器５４に表示される。なお、図１２の構成では、表示器５４に表示されるのはナビゲーション表示用の描画データのみで、メータＥＣＵ４０ではメータ描画データは作成されず、メータ表示部５９の制御を行なう。
【０００７】
しかし、従来技術による構成では、メータ（メータＥＣＵ４０）と車載用ナビゲーション装置（１００）とで別個に描画データを作成するため、メータの意匠が変わるたびに新たに車載用ナビゲーション装置（１００）を開発あるいは改良しなければいけないという問題がある。また、メータ（５０）の意匠に合わせて車載用ナビゲーション装置（１００）の表示意匠をユーザが変更する方法を用いることもできるが、ユーザの操作が煩雑となるという問題が発生する。
【０００８】
また、例えばメータ内でウォーニングインジケータが表示された場合、ナビゲーション表示が明るい場合や、ウォーニングインジケータと同じような色をナビゲーション表示で使用して場合には、ユーザに伝えるべきウォーニングの認識率が落ちることが考えられる。
【０００９】
また、メータ（５０）においてナビゲーション表示の表示サイズや表示位置を変えられる場合、その大きさや位置により最適なナビゲーション表示形態（道路数、ランドマーク数・サイズ、文字数・サイズ等）が変えられないと大きい画面なのに表示が疎であったり、小さい画面なのに表示が密であったりして、ユーザが必要とする情報を提供できず見栄えも悪くなる。また、ユーザがナビゲーション表示形態を変更する方法を用いることもできるが、ユーザの操作が煩雑となるという問題が発生する。
【００１０】
また、ナビデータ表示領域のメータ表示領域に接する外縁部をはっきりさせず、ぼかし処理等を用いて徐々に外縁部の色をメータ表示領域に向かって変化させていく方法があるが、メータの背景色が変わるとナビデータ表示領域の輪郭がはっきりしたり、メータ表示領域と同じ色がナビデータ表示領域の外縁部で使われているとぼかしの効果が薄れるという問題もある。
【００１１】
上記問題を背景として、本発明の課題は、ユーザに見やすい地図情報等を提供する車両用表示装置を提供することにある。
【課題を解決するための手段および発明の効果】
【００１２】
本発明は、上記課題を解決するための車両用表示装置を提供するものである。すなわち、表示器にメータの表示を行なうメータ表示領域とナビゲーションシステムの表示を行なうナビデータ表示領域とを備える車両用表示装置において、メータ表示領域は、予め定められた警告に対応する警告マークを表示する警告表示領域を含み、表示器に描画を行なう描画手段と、メータ表示領域の表示状態をナビデータ表示領域の表示に反映させるためのメータ情報を作成するとともに、メータ表示領域に表示するためのメータ描画データを描画手段に送るメータ制御手段と、メータ制御手段からメータ情報を取得するメータ情報取得手段と、取得したメータ情報に基づいて、ナビデータ表示領域に表示するためのメータ表示用ナビデータを作成し、そのメータ表示用ナビデータを描画手段に送るナビ制御手段と、を備え、メータ情報はメータの表示色情報を含み、ナビ制御手段は、メータ表示用ナビデータに警告マークの表示色と同じ色が含まれないように該メータ表示用ナビデータを作成することを前提とする。
【００１３】
上記構成によって、メータの意匠が変わっても車載用ナビゲーション装置を新たに開発あるいは改良する必要はなくなる。よって、開発あるいは改良にかかるコストおよび製造コストを抑えることができる。また、メータの意匠に合わせて車載用ナビゲーション装置の表示意匠をユーザが変更する方法を用いる必要もなく、ユーザの操作が煩雑となるという問題も発生しない。
【００１４】
また、上記課題を解決するための車両用表示装置は、表示器に機械式メータを含んでメータの表示を行なうメータ表示領域とナビゲーションシステムの表示を行なうナビデータ表示領域とを備える車両用表示装置において、メータ表示領域は、予め定められた警告に対応する警告マークを表示する警告表示領域を含み、表示器に描画を行なう描画手段と、メータ表示領域の表示状態をナビデータ表示領域の表示に反映させるためのメータ情報を作成するメータ制御手段と、メータ制御手段からメータ情報を取得するメータ情報取得手段と、取得したメータ情報に基づいて、ナビデータ表示領域に表示するためのメータ表示用ナビデータを作成し、そのメータ表示用ナビデータを描画手段に送るナビ制御手段と、を備え、メータ情報はメータの表示色情報を含み、ナビ制御手段は、メータ表示用ナビデータに警告マークの表示色と同じ色が含まれないように該メータ表示用ナビデータを作成することを前提とする。
【００１５】
上記構成によっても、メータの意匠が変わっても車載用ナビゲーション装置を新たに開発あるいは改良する必要はなくなる。よって、開発あるいは改良にかかるコストおよび製造コストを抑えることができる。また、メータの意匠に合わせて車載用ナビゲーション装置の表示意匠をユーザが変更する方法を用いる必要もなく、ユーザの操作が煩雑となるという問題も発生しない。
【００１６】
また、本発明の車両用表示装置におけるメータ情報には、メータの表示色情報，文字意匠情報，表示の明るさ情報，ナビデータ表示領域の大きさあるいは表示器におけるナビデータ表示領域の表示位置に関する情報のうちの少なくとも一つが含まれる構成をとることができる。
【００１７】
上記構成によって、メータ情報を取得したナビ制御手段（例えば、車載用ナビゲーション装置）は、ナビデータ表示領域の表示のためにメータ表示領域が見にくくなることや、逆にメータ表示領域の表示のためにナビデータ表示領域が見にくくなることを防ぎ、最適なメータ表示用ナビデータを作成することができる。
【００１８】
また、本発明の車両用表示装置におけるナビ制御手段は、メータの表示色情報に応じてメータ表示用ナビデータを作成する構成をとることができる。
【００１９】
上記構成によって、例えばメータ描画データに用いられている表示色をメータ表示用ナビデータに用いないようすれば、メータ表示領域およびナビデータ表示領域の双方の表示内容が見にくくなることを防ぎ、最適な表示を提供することができる。
【００２０】
また、本発明の車両用表示装置におけるナビ制御手段は、文字意匠情報に応じてメータ表示用ナビデータを作成する構成をとることができる。
【００２１】
上記構成によって、メータ表示領域およびナビデータ表示領域の双方に表示される文字意匠（大きさ，書体，表示色，文字修飾等）が統一され、ユーザがメータ表示に違和感を持つことはなくなる。
【００２２】
また、本発明の車両用表示装置におけるナビ制御手段は、表示の明るさ情報に応じてメータ表示用ナビデータを作成する構成をとることができる。
【００２３】
上記構成によって、例えばメータ表示領域でウォーニングインジケータが表示された場合、ナビデータ表示領域をメータ表示領域よりも暗くすることで、ユーザに伝えるべきウォーニングの認識率が落ちることを防ぐことができる。
【００２４】
また、本発明の車両用表示装置におけるナビ制御手段は、ナビデータ表示領域の大きさあるいは表示器におけるナビデータ表示領域の表示位置に関する情報に応じてメータ表示用ナビデータを作成する構成をとることができる。
【００２５】
上記構成によって、メータにおいてナビデータ表示領域の表示サイズや表示位置を変えられる場合、その大きさや位置により最適なメータ表示用ナビデータを作成して表示することができるので、ナビデータ表示領域が大きいのに表示内容が疎であったり、ナビデータ表示領域が小さいのに表示内容が密であったりということはなく、ユーザが必要とする情報を最適な表示形態で提供することができる。また、ユーザがナビデータ表示領域の表示形態を変更する手間も発生しない。
【００２６】
また、本発明の車両用表示装置におけるナビ制御手段は、ナビデータ表示領域の大きさあるいは表示器におけるナビデータ表示領域の表示位置に関する情報に応じて、ナビデータ表示領域に表示される地図の縮尺，文字意匠，文字列数のうちの少なくとも一つを変更する構成をとることができる。
【００２７】
上記構成によって、ユーザが必要とする情報を最適な表示形態で提供することができる。また、ユーザがナビデータ表示領域の表示形態を変更する手間も発生しない。
【００２８】
また、本発明の車両用表示装置は、メータ表示用ナビデータにおけるメータ表示領域との隣接領域を、メータ表示領域の表示内容に応じて加工するナビデータ加工手段を有する構成をとることができる。
【００２９】
上記構成によって、メータの表示内容に応じて作成されたメータ表示用ナビデータを用いて、例えばメータ表示領域に接する外縁部をはっきりさせず、ぼかし処理等を用いて徐々に外縁部の色をメータ表示領域に向かって変化させていくので、メータの背景色が変わるとナビデータ表示領域の輪郭がはっきりしたり、メータ表示領域と同じ色がナビゲーション表示領域の外縁部で用いられて加工の効果が薄れてしまう問題は解消される。
【００３０】
また、本発明の車両用表示装置におけるナビデータ加工手段は、メータ表示用ナビデータにおけるメータ表示領域との隣接領域の表示意匠を、メータ表示領域の表示内容に合わせるように変化させる構成をとることができる。
【００３１】
上記構成によって、メータの背景色が変わるとナビデータ表示領域の輪郭がはっきりしたり、メータ表示領域と同じ色がナビゲーション表示領域の外縁部で使われているとぼかしの効果が薄れるという問題は解消される。
【発明を実施するための最良の形態】
【００３２】
ユーザに見やすい地図情報等を提供する車両用表示装置を提供するという目的を、メータＥＣＵからメータ情報を車載用ナビゲーション装置に送り、そのメータ情報を基に車載用ナビゲーション装置で最適なメータ表示用ナビデータを作成する構成により実現した。
【実施例】
【００３３】
以下、本発明の実施の形態を、図面に示す実施例を参照しながら説明する。図１，図２に本発明の車両用表示装置の全体構成を示す。車両用表示装置は、メータＥＣＵ４０およびメータ５０，描画ＥＣＵ６０，車載用ナビゲーション装置（以下、ナビゲーション装置と略称する）１００を含んで構成されている。メータＥＣＵ４０，描画ＥＣＵ６０とナビゲーション装置１００とは例えば車内ＬＡＮ（Local  Area  Network）２７（後述）によって接続されている。また、データの内容によって車内ＬＡＮ２７を介さず専用のケーブルによってデータを伝送する構成としてもよい。
【００３４】
図１の例はメータ表示領域とナビデータ表示領域をメータ５０の表示器５４に含む構成で、図３は図１の構成におけるメータＥＣＵ４０およびメータ５０の構成を示したブロック図である。メータＥＣＵ４０は、制御部４１と、その制御部４１に入出力回路であるＩ／Ｏ４２を介して接続される、描画部４３，ＬＡＮ  Ｉ／Ｆ４４，外部メモリ４５を含んで構成される。
【００３５】
本発明のメータ制御手段である制御部４１は周知のＣＰＵ４１ａ，ＲＯＭ４１ｂ，ＲＡＭ４１ｃ，および図示しないＡ／Ｄ変換回路等の周辺回路を含んで構成される。ＲＯＭ４１ｂにはメータＥＣＵ４０で行なわれる各種処理を実行するためのメータ制御プログラム４１ｐおよびデータが記憶されている。
【００３６】
描画部４３は、車内ＬＡＮ２７等から取得したメータ表示に必要なデータに基づいて、表示器５４に表示させるためのメータ表示用データを生成するもので、表示用のデータや表示色のデータも記憶されている。取得するデータは、例えばエンジン水温，エンジン回転数，車速，シフトポジション，走行距離，日時，残燃料等である。
【００３７】
ＬＡＮ  Ｉ／Ｆ４４は車内ＬＡＮ２７とのデータの遣り取りを行なうためのインターフェース回路である。
【００３８】
外部メモリ４５はＥＥＰＲＯＭ（Electrically  Erasable  ＆  Programmable  Read  Only  Memory：電気的消去・プログラム可能・読出し専用メモリ）やフラッシュメモリ等の書き換え可能な半導体メモリによって構成され、メータＥＣＵ４０の動作に必要な情報およびデータが記憶されている。なお、外部メモリ４５は、メータＥＣＵ４０がオフ状態になっても、記憶内容が保持されるようになっている。
【００３９】
メータ５０はマイク５１，スピーカ５２，ＬＥＤ５３，表示器５４を含んで構成され、描画ＥＣＵ６０からのメータ表示用データを表示する。
【００４０】
マイク５１は例えば、ナビゲーション装置１００の音声入力装置の一部として使用する。マイク５１に入力された音声データは車内ＬＡＮ２７を介さず直接ナビゲーション装置１００に送られる構成としてもよい。
【００４１】
スピーカ５２は各種車載機器からの音声メッセージを送出するもので、ナビゲーション装置１００の音声メッセージも送出される。なお、スピーカ５２とナビゲーション装置１００とは車内ＬＡＮ２７を介さず直接接続される構成としてもよい。図４の例では、スピーカ５２はメータ近傍のメータフード５５内に取り付けられている。
【００４２】
ＬＥＤ５３は方向指示灯，動作モニタ灯や警告灯などの、主に不定期で表示が行なわれるものに用いられる。
【００４３】
表示器５４は周知のカラー液晶等のパネル５４ａ，バックライト５４ｂ，および液晶表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、メータＥＣＵ４０から送られる描画指令および描画データに基づいて表示を行なう。また、表示器５４として有機ＥＬ（ElectroLuminescence：電界発光）表示器，プラズマ表示器を用いてもよい。
【００４４】
図１および図３の構成では、描画部４３で作成されたメータ表示用データが描画ＥＣＵ６０に送られ、描画ＥＣＵ６０ではナビゲーション装置１００から送られてきたメータ表示用ナビデータと合わせてメータ表示用データを作成して表示器５４に表示させる。
【００４５】
図２の例はメータ５０内にナビデータのみを表示する表示器５４を含む構成である。表示器５４の構成は図１の構成と同様である。本構成ではメータＥＣＵ４０は描画ＥＣＵ６０に接続されず、図３の描画部４３の代わりにメータ指針を動かすステッパモータやＬＥＤ、メータ文字盤，メータ指針等を含む機械式メータであるメータ表示部５９の駆動制御を行なう駆動制御部（図示せず）が含まれる。車内ＬＡＮ２７等から取得したメータ表示に必要なデータに基づいて、駆動制御部がメータ表示部５９の駆動制御（ステッパモータの駆動やＬＥＤの点灯）を行なう。
【００４６】
図２の構成では、描画ＥＣＵ６０を介してナビゲーション装置１００から送られてきたメータ表示用ナビデータが表示器５４に表示される。また、メータ表示部分ではメータ表示部５９に含まれるＬＥＤあるいはライト等でメータ内あるいはメータの所定の領域の照明を行なっている。これらの照明の色，メータパネルやメータ指針の色，メータ文字の色や意匠などがメータ情報に含まれる。
【００４７】
図４にメータ５０の断面図を示す。表示器５４，ドライバ回路等が含まれるメータ基板５８，ＬＥＤ５３（図示せず），メータ表示部５９（図示せず）等がケース５７に収納されダッシュパネルの所定の位置に取り付けられる。ケース５７の上下は、主として光の反射や映り込みを抑制してメータ５０の視認性を向上させるためのメータフード５５で覆われている。また、表示器５４の前面には防塵用の透過部材５６が取り付けられている。
【００４８】
図５はナビゲーション装置１００の構成を示すブロック図である。ナビゲーション装置１００は、位置検出器１，地図データ入力器６，操作スイッチ群７，リモートコントロール（以下リモコンと称する）センサ１１，音声案内などを行なう音声合成回路２４およびスピーカ１５，不揮発メモリ９，表示器１０，ハードディスク装置（ＨＤＤ）２１，これらの接続された制御回路８，リモコン端末１２を備えている。
【００４９】
位置検出器１は、周知の地磁気センサ２，ジャイロスコープ３，距離センサ４，および衛星からの電波に基づいて車両の位置を検出するＧＰＳ受信機５を有している。これらのセンサ等２，３，４，５は各々が性質の異なる誤差を持っているため、複数のセンサにより各々補完しながら使用するように構成されている。なお、精度によっては前述したうちの一部のセンサで構成してもよく、さらに、ステアリングの回転センサや各転動輪の車輪センサ例えば車速センサ２３等を用いてもよい。
【００５０】
操作スイッチ群７は、例えば表示器１０と一体になったタッチパネル２２もしくはメカニカルなスイッチが用いられる。タッチパネル２２は、表示器１０の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。メカニカルスイッチの他に、マウスやカーソル等のポインティングデバイスを用いてもよい。
【００５１】
また、マイク３１および音声認識ユニット３０を用いて種々の指示を入力することも可能である。これは、マイク３１から入力された音声信号を、音声認識ユニット３０において周知の隠れマルコフモデル等の音声認識技術により処理を行ない、その結果に応じた操作コマンドに変換するものである。これら操作スイッチ群７、リモコン端末１２、マイク３１によって、種々の指示を入力することが可能である。また、メータ５０のマイク５１を用いてもよい。
【００５２】
送受信機１３は、例えばＶＩＣＳ（Vehicle  Information  and  Communication  System：道路交通情報通信システム）センタ１４から道路交通情報を受信するための装置である。
【００５３】
また、ＥＴＣ（Electronic  Toll  Collection：自動料金収受システム）車載器１６と通信することにより、ＥＴＣ車載器１６がＥＴＣ路上器（図示せず）から受信した料金情報などをナビゲーション装置１００に取り込むことができる。また、ＥＴＣ車載器１６によって外部ネットワークと接続し、ＶＩＣＳセンタ１４等との通信を行なう構成をとってもよい。
【００５４】
本発明のナビ制御手段である制御回路８は通常のコンピュータとして構成されており、周知のＣＰＵ８１，ＲＯＭ８２，ＲＡＭ８３，入出力回路であるＩ／Ｏ８４およびこれらの構成を接続するバスライン８５が備えられている。ＣＰＵ８１は、ＨＤＤ２１に記憶されたナビプログラム２１ｐおよびデータにより制御を行なう。また、ＨＤＤ２１へのデータの読み書きの制御はＣＰＵ８１によって行なわれる。Ａ／Ｄ変換部８６は周知のＡ／Ｄ（アナログ／デジタル）変換回路を含み、例えば位置検出器１などから制御回路８に入力されるアナログデータをＣＰＵ８１で演算可能なデジタルデータに変換するものである。ＲＯＭ８２に、ＨＤＤ２１が故障した場合にナビゲーション機能のうちで必要最低限の動作を行なうためのプログラムを記憶しておいてもよい。
【００５５】
描画部８７は、ＨＤＤ２１等に記憶された表示用のデータや表示色のデータから表示器１０に表示させるためのナビ描画データ、およびメータ５０のナビデータ表示領域７７（図８〜図１０参照）に表示させるためのメータ表示用ナビデータを生成する。
【００５６】
ＨＤＤ２１には、ナビプログラム２１ｐの他に位置検出の精度向上のためのいわゆるマップマッチング用データ、道路の接続を表した道路データを含む地図データ２１ｍが記憶される。地図データ２１ｍは、表示用となる所定の地図画像情報を記憶するとともに、リンク情報やノード情報等を含む道路網情報を記憶する。リンク情報は、各道路を構成する所定の区間情報であって、位置座標、距離、所要時間、道幅、車線数、制限速度等から構成される。また、ノード情報は、交差点（分岐路）等を規定する情報であって、位置座標、右左折車線数、接続先道路リンク等から構成される。また、リンク間接続情報には、通行の可不可を示すデータなどが設定されている。
【００５７】
また、ＨＤＤ２１には経路案内の補助情報や娯楽情報、その他にユーザが独自にデータを書き込むことができ、ユーザデータ２１ｕとして記憶される。これらのユーザデータ２１ｕは、操作スイッチ群７，タッチパネル２２およびリモコン端末１２の操作あるいはマイク３１からの音声入力によって内容の書き換えが可能である。また、ナビゲーション装置１００の動作に必要なデータや各種情報をデータベース２１ｄとして記憶してもよい。
【００５８】
また、地図データ２１ｍおよびユーザデータ２１ｕは、地図データ入力器６を介して記憶媒体２０からそのデータの追加・更新を行なうことが可能である。記憶媒体２０は、そのデータ量からＣＤ−ＲＯＭやＤＶＤを用いるのが一般的であるが、例えばメモリカード等の他の媒体を用いてもよい。また、外部ネットワークを経由してインターネットサーバ等の情報センタからダウンロードしてもよい。
【００５９】
不揮発メモリ９はＥＥＰＲＯＭやフラッシュメモリ等の書き換え可能な半導体メモリによって構成され、ナビゲーション装置１００の動作に必要な情報およびデータが記憶されている。なお、不揮発メモリ９は、車両のアクセサリスイッチがオフ状態すなわち、ナビゲーション装置１００がオフ状態になっても、記憶内容が保持されるようになっている。また、不揮発メモリ９の代わりにナビゲーション装置１００の動作に必要な情報およびデータをＨＤＤ２１に記憶してもよい。さらに、ナビゲーション装置１００の動作に必要な情報およびデータを不揮発メモリ９とＨＤＤ２１に分けて記憶してもよい。
【００６０】
表示器１０は周知のカラー液晶表示器で構成され、ドット・マトリックスＬＣＤおよびＬＣＤ表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、制御回路８から送られる表示指令および表示画面データ（ナビ描画データ）に基づいて表示を行なう。また、表示器１０として有機ＥＬ（ElectroLuminescence：電界発光）表示器，プラズマ表示器を用いてもよい。
【００６１】
スピーカ１５は制御回路８のＩ／Ｏ８４に接続される周知の音声合成回路２４に接続され、ナビプログラム２１ｐの指令によって不揮発メモリ９あるいはＨＤＤ２１に記憶されるデジタル音声データを音声合成回路２４においてアナログ音声に変換したものが送出される。なお、音声合成の方法には、音声波形をそのままあるいは符号化して蓄積しておき、必要に応じて繋ぎあわせる録音編集方式などがある。また、メータ５０のスピーカ５２を用いてもよい。
【００６２】
車速センサ２３は周知のロータリエンコーダ等の回転検出部を含み、例えば車輪取り付け部付近に設置されて車輪の回転を検出してパルス信号として制御回路８に送るものである。制御回路８では、その車輪の回転数を車両の速度に換算して、車両の現在位置から所定の場所までの予想到達時間を算出したり、車両の走行区間毎の平均車速を算出する。
【００６３】
本発明のメータ情報取得手段，ナビ制御手段であるＬＡＮ  Ｉ／Ｆ２６は車内ＬＡＮ２７とのデータの遣り取りを行なうためのインターフェース回路で、メータＥＣＵからのメータ情報の入力、描画ＥＣＵ６０へのメータ表示用ナビデータの出力を行なう。また、ＬＡＮ  Ｉ／Ｆ２６を介して車速センサ２３からのデータ取り込み、あるいはＥＴＣ車載器１６との接続を行なってもよい。
【００６４】
このような構成を持つことにより、ナビゲーション装置１００は、制御回路８のＣＰＵ８１によりナビプログラム２１ｐが起動されると、ユーザが操作スイッチ群７，タッチパネル２２、リモコン端末１２の操作あるいはマイク３１からの音声入力によって、表示器１０上に表示されるメニューから目的地経路を表示器１０に表示させるための経路案内処理を選択した場合、次のような処理を実施する。
【００６５】
すなわち、ユーザが地図上の任意の地点あるいは施設検索や住所検索、ユーザが設定した登録地などから地点を選択して目的地として設定すると、位置検出器１により車両の現在位置が求められ、該現在位置から目的地までの最適な案内経路を求める処理が行われる。そして、表示器１０上の道路地図に案内経路を重ねて表示し、ユーザに適切な経路を案内する。このような自動的に最適な案内経路を設定する手法は、ダイクストラ法等の手法が知られている。また、表示器１０およびスピーカ１５の少なくとも一方によって、操作時のガイダンスや動作状態に応じたメッセージの報知を行なう。
【００６６】
図６は本発明の描画手段である描画ＥＣＵ６０の構成を示したブロック図である。描画ＥＣＵ６０は、制御部６１と、その制御部６１に入出力回路であるＩ／Ｏ６２を介して接続される、描画部６３，ＬＡＮ  Ｉ／Ｆ６４，フラッシュメモリ６５を含んで構成される。
【００６７】
制御部６１は周知のＣＰＵ６１ａ，ＲＯＭ６１ｂ，ＲＡＭ６１ｃ，および図示しないＡ／Ｄ変換回路等の周辺回路を含んで構成される。ＲＯＭ６１ｂには描画ＥＣＵ６０で行なわれる各種処理を実行するための描画制御プログラム６１ｐおよびデータが記憶されている。また、描画ＥＣＵ６０の動作に必要なデータおよびメータ表示用描画データの作成に必要なデータは、フラッシュメモリ６５に記憶されている。
【００６８】
描画部６３は、描画制御プログラム６１ｐによって、車内ＬＡＮ２７を経由してメータＥＣＵ４０から取得したメータ用描画データおよびナビゲーション装置１００から取得したメータ表示用ナビデータを合わせてメータ表示用描画データを作成し表示器５４に送る。そして、表示器５４は描画ＥＣＵ６０から送られてきたメータ表示用描画データを表示する。
【００６９】
図７を用いて、表示器５４のナビデータ表示領域７７（図８〜１０参照）に表示するためのメータ表示用ナビデータ作成処理について説明する。なお、本処理はナビプログラム２１ｐに含まれ、ナビプログラム２１ｐの他のプログラムとともに繰り返し実行される。まず、車内ＬＡＮ２７を介してメータＥＣＵ４０からメータ情報を取得する（Ｓ１）。メータ情報には以下のものが少なくとも一つ以上含まれる。
（１）メータ表示領域（図８〜図１０参照）の表示色情報（背景，指針，文字等）。
（２）メータ表示領域の文字意匠情報（文字の大きさ，書体，表示色，文字修飾等）。
（３）メータ表示領域の表示の明るさ情報。
（４）ナビデータ表示領域７７の大きさあるいは表示器５４におけるナビデータ表示領域７７の表示位置に関する情報。
【００７０】
なお、図２の構成では、メータ表示部５９に含まれるＬＥＤあるいはライト等でメータ内あるいはメータの所定の領域の照明を行なっている。これらの照明の色，メータパネルやメータ指針の色，メータ文字の色や意匠などがメータ情報に含まれる。メータ情報を外部メモリ４５に記憶してもよい。
【００７１】
次に、上述のように、位置検出器１によって検出された車両の現在位置に基づいて地図データ２１ｍから車両の現在位置周辺の地図情報を取得する等して、ナビゲーション装置１００の表示器１０に表示するための表示内容を決定し、その表示内容に応じたナビ描画データを作成する（Ｓ２）。無論、表示内容は、ユーザの操作によってメニュー画面・設定入力画面を表示している場合の表示画面でもよい。
【００７２】
上記取得したメータ情報に基づいてナビ描画データからメータ表示用ナビデータを作成する（Ｓ３）。
【００７３】
図８〜図１０の表示器５４における表示例を用いて、図１の構成におけるメータ表示用ナビデータ作成の一例を説明する。メータ５０の表示器５４には、メータ表示領域に含まれる水温表示領域７１，車速表示領域７２，距離計やシフトポジション等の表示領域７３，エンジン回転数表示領域７４，燃料計表示領域７５，警告表示領域７６と、ナビデータ表示領域７７等が含まれている。図８はナビデータ表示領域７７に地図を表示して、その地図上に案内経路７７ａと車両の現在位置・走行方向７７ｂを示して経路案内を行なっている状態である。
【００７４】
図８の状態でメータＥＣＵ４０が何らかの異常をセンサあるいは他の車載機器から取得した場合、図９のような警告表示領域７６に警告マーク７６ａが表示される。このとき、警告マーク７６ａの表示色が案内経路７７ａの表示色と同一色あるいは同系統色である場合、警告マーク７６ａが見づらくなる。そこで、メータ表示用ナビデータ作成処理において取得したメータ情報に含まれる警告マーク７６ａの表示色と同じ色が、ナビデータ表示領域７７で使用されているかを調べ、例えば案内経路７７ａの表示に使われている場合には、案内経路７７ａの表示色を図１０のような他の色に変更してメータ表示用ナビデータを作成し、描画ＥＣＵ６０に送る。
【００７５】
上述の例の他に、ナビ描画データからメータ表示用ナビデータを作成する方法として以下のようなものがある。
【００７６】
（１）メータ表示領域（水温表示領域７１，車速表示領域７２，距離計やシフトポジション等の表示領域７３，エンジン回転数表示領域７４，燃料計表示領域７５，警告表示領域７６、以下同じ）の背景色、文字色、指針色情報をメータＥＣＵ４０から取得し、例えばメータ表示領域の背景色が黒から白に、文字が白から黒に変わったとき、ナビ描画データも背景を白やクリーム色のような明るいものにしてメータ表示用ナビデータを作成する。また、メータ表示用ナビデータの文字色もメータ表示領域の文字色に合わせ、さらに案内経路の表示色もメータ指針色に合わせる。
（２）メータ表示領域で表示されている文字意匠情報をメータＥＣＵ４０から取得し、メータ表示用ナビデータで使用する文字意匠をメータ表示領域で使用されているものに合わせる。
（３）メータ表示領域の明るさ情報をメータＥＣＵ４０から取得し、その明るさに合わせるように、あるいはその明るさと同じにならないようにメータ表示用ナビデータを作成する。明るさは色の階調を調節することで変えることができる。
（４）ナビデータ表示領域７７の大きさ、位置情報をメータＥＣＵ４０から取得し、それに応じた縮尺あるいは表示密度でメータ表示用ナビデータを作成する。例えば、ナビデータ表示領域７７の大きさに応じて、表示する道路の種別，施設の種類，文字列数，文字サイズを変える。
・道路については、ナビデータ表示領域７７が大きい場合は細街路まで表示するが、ナビデータ表示領域７７が小さい場合は国道，県道等の主要道路のみ表示する。
・施設については、ナビデータ表示領域７７が大きい場合は小規模な施設・店舗まで表示するが、ナビデータ表示領域７７が小さい場合は駅，官公庁，大規模商業店舗等の主要な施設のみ表示する。
・文字列数，文字サイズについては、ナビデータ表示領域７７が大きい場合は通常の文字列数（例：「名古屋駅」），文字サイズで表示するが、ナビデータ表示領域７７が小さい場合は通常よりも少ない文字列数（例：「名駅」），小さい文字サイズで表示する。
（５）車両の停車時における停車情報または全画面要求をメータＥＣＵ４０から取得した場合には、メータ表示領域を全てナビデータ表示領域７７として使用し、詳細な地図を表示できるようにする。
（６）メータ表示領域で表示されている目盛の太さに関する情報をメータＥＣＵ４０から取得し、目盛の太さに合わせて道路の太さを決める。
（７）車速表示領域７２で表示されている速度計の単位（マイル、キロ）の情報をメータＥＣＵ４０から取得し、メータ表示用ナビデータで用いる単位をその単位情報に合わせる。
【００７７】
上記処理でメータ表示用ナビデータを作成した後、メータＥＣＵ４０から取得したメータ情報に基づいて、ナビデータ表示領域７７においてナビデータ表示領域７７とメータ表示領域（例えば７２，７４）とが隣接する所定の範囲の領域のメータ表示用ナビデータの加工を行ない、地図データ毎に隣接するメータ表示領域の表示色に合わせるようにしてもよい。加工方法としては、ぼかし，グラデーション，トーンダウン（輝度変更）等の方法がある。
【００７８】
図２の構成においても、図１の構成と同様にメータ表示用ナビデータを作成することができる。また、表示器５４とメータ表示部５９が隣接する所定の範囲の領域のメータ表示用ナビデータの加工を行ないメータ表示部５９の表示色と合わせることが可能である。
【００７９】
図８〜図１０の例では、ナビデータ表示領域７７は従来一般的に用いられる矩形状ではなく、車速表示領域７２，エンジン回転数表示領域７４の未使用領域に入り込んだ形状となっていて必ずしも矩形状である必要はない。この構成によって、パネル５４ａの表示領域を有効活用でき、ナビデータ表示領域７７を広くすることができる。また、車速表示領域７２，エンジン回転数表示領域７４の未使用領域に表示される地図等のナビデータの色は、各表示領域の表示色に合うように加工すれば表示の違和感は発生しない。
【００８０】
図８のエンジン回転数表示領域７４の例では、メータ指針７４ａに重ならない限り目盛７４ｂの数字の内側までナビデータ表示領域７７を拡大表示可能である。メータ指針７４ａが図８の位置から高回転側に移動した場合、その移動につれてメータ指針７４ａが接近した場合には、接近したメータ指針７４ａの所定の範囲のナビデータ表示領域７７が縮小して地図は表示されなくなる。そして、エンジン回転数が下がって図８の位置に戻った場合には、メータ指針７４ａの低回転側への移動につれてナビデータ表示領域７７が拡がって地図が表示されていく。
【００８１】
メータＥＣＵ４０から取得するメータ情報としては、上記の内容以外にも、明るさや色調をナビゲーション装置１００に対して直接指示する内容を含んでもよい。
【００８２】
図７に戻り、作成されたメータ表示用ナビデータを描画ＥＣＵ６０へ送る（Ｓ４）。
【００８３】
描画ＥＣＵ６０は、メータＥＣＵ４０から取得したメータ用描画データおよびナビゲーション装置１００から取得したメータ表示用ナビデータを合わせてメータ表示用描画データを作成しメータ５０に送る。そして、メータ５０は描画ＥＣＵ６０から送られてきたメータ表示用描画データを表示器５４に表示する。
【００８４】
なお、図２の構成では、描画ＥＣＵ６０は、ナビゲーション装置１００から取得したメータ表示用ナビデータをメータ表示用描画データとしてメータ５０に送る。描画ＥＣＵ６０においてメータ表示用ナビデータをさらに加工してもよい。
【００８５】
また、図１の構成でナビゲーション装置１００の描画部８７あるいはメータＥＣＵ４０の描画部４３に描画ＥＣＵ６０の機能を含む構成としてもよい。同様に、図２の構成でナビゲーション装置１００の描画部８７に描画ＥＣＵ６０の機能を含む構成としてもよい。
【００８６】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００８７】
【図１】車両用表示装置の構成を示す図。
【図２】車両用表示装置の別の構成を示す図。
【図３】メータＥＣＵおよびメータの構成を示すブロック図。
【図４】メータの断面を示す図。
【図５】車載用ナビゲーション装置の構成を示すブロック図。
【図６】描画ＥＣＵの構成を示すブロック図。
【図７】描画処理を説明するためのフロー図。
【図８】メータの表示例を示す図。
【図９】ナビデータ表示色変更前のメータの表示例を示す図。
【図１０】ナビデータ表示色変更後のメータの表示例を示す図。
【図１１】従来技術の構成を示す図。
【図１２】従来技術の別の構成を示す図。
【符号の説明】
【００８８】
８  制御回路（ナビ制御手段）
１０  表示器
２１  ハードディスク装置
２６  ＬＡＮ  Ｉ／Ｆ（メータ情報取得手段，ナビ制御手段）
２７  車内ＬＡＮ
３１  マイク
４０  メータＥＣＵ
４１  制御部（メータ制御手段）
４５  外部メモリ
５０  メータ
５４  表示器
６０  描画ＥＣＵ
６１  制御部
６３  描画部（描画手段）
８７  描画部（ナビ制御手段）
１００  車載用ナビゲーション装置
【図１】
0004539527.tif 000002
【図２】
0004539527.tif 000003
【図３】
0004539527.tif 000004
【図４】
0004539527.tif 000005
【図５】
0004539527.tif 000006
【図６】
0004539527.tif 000007
【図７】
0004539527.tif 000008
【図８】
0004539527.tif 000009
【図９】
0004539527.tif 000010
【図１０】
0004539527.tif 000011
【図１１】
0004539527.tif 000012
【図１２】
0004539527.tif 000013